(57)【要約】【課題】  籾摺選別機の摺落米風選装置において、粃選別精度を確保しながら粃の分離選別あるいは、粃機外排出に切り換える。【解決手段】  摺落米風選箱体（９）に籾殻粃選別風路（１０ｂ）及び粃選別風路（１０ｃ）を平行状に斜設し、籾殻粃選別風路（１０ｂ）の中途部に中間落下口（３２ｂ）を開口し、粃選別風路（１０ｃ）における中間落下口（３２ｂ）の下方に粃落下口（３３）を開口し粃落下口（３３）から粃流下通路（３４）に粃を落下可能に構成する。そして、粃落下口（３３）には開閉切換板（３１）を設け、開閉切換板（３１）の粃落下口（３３）開切換状態では粃選別風路（１０ｃ）の中途部を閉鎖して粃選別風路（１０ｃ）の選別風を中間落下口（３２ｂ）から上側の籾殻粃選別風路（１０ｂ）に切換送風し、また開閉切換板（３１）の粃落下口（３３）閉切換状態では、粃選別風路（１０ｃ）の中途部を開口して粃選別風を終端側まで連通するように構成する。【選択図】図２
2011045854.tif 000002
【特許請求の範囲】
【請求項１】
摺落米風選箱体（９）内に籾殻と粃を風選する籾殻粃選別風路（１０ｂ）を上段に、粃を風選する粃選別風路（１０ｃ）を下段にそれぞれ並行して斜設し、これら籾殻粃選別風路（１０ｂ）と粃選別風路（１０ｃ）それぞれ選別風が通過する構成とし、前記籾殻粃選別風路（１０ｂ）の選別中途部に中間落下口（３２ｂ）を開口し、前記粃選別風路（１０ｃ）における前記中間落下口（３２ｂ）の下方に粃落下口（３３）を開口し、粃落下口（３３）から粃を排出可能に構成し、前記粃落下口（３３）には開閉切換板（３１）を設け、該開閉切換板（３１）を粃落下口（３３）が開放状態になるよう切換ると、前記粃選別風路（１０ｃ）の中途部を閉鎖し粃選別風路（１０ｃ）の選別風が中間落下口（３２ｂ）から上側の前記籾殻粃選別風路（１０ｂ）に流れ、該開閉切換板（３１）を粃落下口（３３）が閉鎖状態になるよう切換ると、前記粃選別風路（１０ｃ）の中途部が開放され粃選別風路（１０ｃ）の選別風が粃選別風路（１０ｃ）の終端側に流れることを特徴とする籾摺機の風選装置。
【請求項２】
請求項１の発明において、前記開閉切換板（３１）を前記粃落下口（３３）に設けるにあたり、粃落下口（３３）の上下中間部に開閉切換板（３１）の上下中途部を横軸回りの支点軸（３１ａ）で軸支し、前記開閉切換板（３１）の上下一端側を前記粃選別風路（１０ｃ）の中途部の開閉部（３１ｂ）とし、上下他端側を前記粃落下口（３３）の開閉部（３１ｃ）としたことを特徴とする籾摺機の風選装置。
【発明の詳細な説明】
【技術分野】
【０００１】
この発明は、籾摺機で籾摺された穀物を風選する風選装置に関する。
【背景技術】
【０００２】
籾摺選別機において、摺落米選別風路の終端部に吸引ファンを設け、摺落米選別風路の始端側下方に摺落米受樋を、中途部下方に粃選別口を設け、粃選別口に選別された粃を粃流下路を経て粃受樋に取り出すように構成する。そして、この粃流下路の中途部を左右粃連通路を経由して吸引ファンに連通し、左右粃連通路には風量調節弁を設け、選別風量を調節しながら粃を粃受樋に回収したり、あるいは、全開状態として吸引ファンにより粃を排出するものは、公知である（特許文献１）。
【先行技術文献】
【特許文献】
【０００３】
【特許文献１】特開２００４−１１４０１１号公報
【発明の概要】
【発明が解決しようとする課題】
【０００４】
前記背景技術のものは、摺落米風選装置に風量調節弁を設け、粃選別風量を調節しながら粃を分離選別するものである。
最近の籾摺選別機のユーザーの中には、摺落米から風選分離選別される粃を必要とせず、籾殻と共に機外へ排出したいという要望がでてきている。
【０００５】
そこで、本発明は、このような要望に対応しようとするもので、摺落米風選装置において、粃選別精度を確保しながら、粃の分離選別、あるいは、粃機外排出を容易に選択できるようにしようとするものである。
【課題を解決するための手段】
【０００６】
この発明は、このような課題を解決するために、次の技術的手段を講じた。
請求項１の発明は、摺落米風選箱体（９）内に籾殻と粃を風選する籾殻粃選別風路（１０ｂ）を上段に、粃を風選する粃選別風路（１０ｃ）を下段にそれぞれ並行して斜設し、これら籾殻粃選別風路（１０ｂ）と粃選別風路（１０ｃ）それぞれ選別風が通過する構成とし、前記籾殻粃選別風路（１０ｂ）の選別中途部に中間落下口（３２ｂ）を開口し、前記粃選別風路（１０ｃ）における前記中間落下口（３２ｂ）の下方に粃落下口（３３）を開口し、粃落下口（３３）から粃を排出可能に構成し、前記粃落下口（３３）には開閉切換板（３１）を設け、該開閉切換板（３１）を粃落下口（３３）が開放状態になるよう切換ると、前記粃選別風路（１０ｃ）の中途部を閉鎖し粃選別風路（１０ｃ）の選別風が中間落下口（３２ｂ）から上側の前記籾殻粃選別風路（１０ｂ）に流れ、該開閉切換板（３１）を粃落下口（３３）が閉鎖状態になるよう切換ると、前記粃選別風路（１０ｃ）の中途部が開放され粃選別風路（１０ｃ）の選別風が粃選別風路（１０ｃ）の終端側に流れることを特徴とする籾摺機の風選装置とする。
【０００７】
請求項２の発明は、請求項１の発明において、前記開閉切換板（３１）を前記粃落下口（３３）に設けるにあたり、粃落下口（３３）の上下中間部に開閉切換板（３１）の上下中途部を横軸回りの支点軸（３１ａ）で軸支し、前記開閉切換板（３１）の上下一端側を前記粃選別風路（１０ｃ）の中途部の開閉部（３１ｂ）とし、上下他端側を前記粃落下口（３３）の開閉部（３１ｃ）としたことを特徴とする籾摺機の風選装置とする。
【発明の効果】
【０００８】
請求項１の発明によると、摺落米の選別精度を良好に保ちながら、粃の分離選別、あるいは、粃機外排出を選択することができる。すなわち、開閉切換板（３１）を粃選別取出状態に切り換えると、開閉切換板（３１）の一端側が粃選別風路（１０ｃ）の中途部を閉鎖し、粃選別風路（１０ｃ）の選別風を中間落下口（３２ｂ）を経て上側の籾殻粃選別風路（１０ｂ）に送り、籾殻粃選別風路（１０ｂ）の選別風量をアップし、粃への籾殻混入を防止しながら選別精度を高めることができる。また、開閉切換板（３１）の粃機外排出状態に切り換えると、開閉切換板（３１）の一端側が粃選別風路（１０ｃ）の中途部を開放し連通状態とするので、粃選別風路（１０ｃ）の粃を円滑に機外へ排出し、また、粃落下口（３３）は全閉鎖状態であるので粃が、粃が落下することもなく、清掃の手間を省くことができる。
【０００９】
請求項２の発明は、請求項１の発明の前記効果に加えて、粃選別風路（１０ｃ）の中途部に開口した粃落下口（３３）の上下中間部に開閉切換板（３１）を横軸回りに切換回動する構成としたので、開閉切換板（３１）の上下一端側を粃選別風路（１０ｃ）の中途部の開閉部とし、上下他端側を粃落下口（３３）の開閉部とすることができ、簡単な構成で粃の分離選別取出か粃の機外排出かを選択することができる。
【図面の簡単な説明】
【００１０】
【図１】籾摺選別機の全体を正面から見た内部を示す図。
【図２】摺落米風選部を正面から見た内部を示す図。
【図３】摺落米風選部を正面から見た一部の拡大図。
【図４】吸引ファン部の切断側面図。
【発明を実施するための最良の形態】
【００１１】
以下、図面に示すこの発明の実施例について説明する。
まず、図１に基づきこの発明を具備する籾摺選別機の全体構成について説明する。
籾摺選別機は、機体の左右一側上部に配置している籾摺部１と、籾摺部１の下方に配置している摺落米風選部２と、摺落米風選部２の左右側方に配置している揺動選別板型の混合米選別部３と、摺落米風選部２の摺落米を混合米選別部３へ揚穀する混合米揚穀機４と、混合米選別部３の選別玄米を機外に取り出す玄米揚穀機５と、混合米選別部３の選別籾を籾摺部１に揚穀する籾揚穀機（図示省略）とにり、構成している。
【００１２】
籾摺部１は籾摺ロール型に構成されていて、籾タンク６と、一対の籾摺ロール７，７を内装している籾摺室８等により構成されている。籾タンク６の籾は籾摺ロール７，７に供給されて籾摺され、摺落米は拡散板２８に衝突して拡散され、下方の摺落米風選部２に供給される。
【００１３】
摺落米風選部２は、摺落米風選箱体９と、摺落米風選箱体９内に前後方向（図１の左右方向）に沿わせて下側始端側から上側終端側に向けて斜設されている摺落米選別風路１０と、摺落米選別風路１０の下側始端側の下方に設けられている混合米流下板１２と、摺落米選別風路１０の終端側に配設されている吸引ファン１３とにより、構成されている。
【００１４】
次に、揺動選別型の混合米選別部３について説明する。
多段の揺動選別板１５には、板面に選別用の凹凸が形成されていて、縦方向の一側を高い供給側、他側を低い排出側とし、縦方向に直交する横方向の一方側を高い揺上側、反対側を低い揺下側として、揺動選別板１５の縦横２方向ともに傾斜した構成とし、揺動選別板１５を前後揺動アーム（図示せず）により左右方向斜め上下に往復揺動するように構成している。
【００１５】
摺落米選別風路１０で風選され、籾殻と混合米流下板１２を選別されて流下した摺落米、すなわち籾と玄米の混合米は、混合米ラセン１４、混合米揚穀機４、一時貯溜用の混合米タンク１６、分配供給樋１７及び分配ケース１８を経由して揺動選別板１５に供給する構成としている。揺動選別板１５の排出側に対向して玄米仕切板１９及び籾仕切板２０を設け、揺動選別板１５で選別された選別玄米、選別混合米及び選別籾を分離して取り出すようにしている。
【００１６】
しかして、揺動選別板１５に供給された混合米は、粒形の大小，比重の大小，摩擦係数の大小等の関係で、比重の重い小形の玄米は揺上側に偏流分布し、玄米に比較して大形で比重の軽い籾は、揺下側に偏流分布し、その中間部には分離されない籾・玄米の混合米が分布しながら選別される。そして、これらの選別穀粒は、揺動選別板１５の排出側に対向して設けられている玄米仕切板１９及び籾仕切板２０で仕切られて取り出される。
【００１７】
取り出された選別玄米は、玄米取出樋２１、玄米流路２２、玄米揚穀機５を経て機外に取り出される。また、取り出された選別混合米は、混合米取出樋２３、混合米ラセン１４、混合米揚穀機４、混合米タンク１６、分配供給樋１７、分配ケース１８を経て、揺動選別板１５に供給され再選別される。また、取り出された選別籾は、籾流路２４、籾ラセン２５、籾揚穀機（図示省略）を経て籾摺部１に揚穀還元され、再度の籾摺がなされる。
【００１８】
次に、図２に基づき摺落米風選部２の選別構成を具体的に説明する。
摺落米風選箱体９内には摺落米選別風路１０を次のように構成している。摺落米選別風路１０を、籾殻選別風路１０ａ、籾殻粃選別風路１０ｂ及び粃選別風路１０ｃに並行状に区分し、これら選別風路１０ａ，１０ｂ，１０ｃを上段から下段にかけて下側始端側から上側終端側に向けて傾斜するように設けている。そして、これら選別風路１０ａ，１０ｂ，１０ｃに籾摺室８から摺落米が供給されると共に、選別風始端側から選別風が流入する構成とし、これら選別風路１０ａ，１０ｂ，１０ｃの終端側に吸引ファン１３の吸入部を設している。
【００１９】
籾殻選別風路１０ａと籾殻粃選別風路１０ｂとは上風路体１１ａ，１１ｂで区切られ、籾殻粃選別風路１０ｂと粃選別風路１０ｃとは下風路体１１ａ，１１ｂで区切られる。
上風路体は選別始端部から中途部まで延びる始端側上風路体１１ａと、中途部から選別終端部まで延びる終端側上風路体１１ｂとから構成し、始端側上風路体１１ａと終端側上風路体１１ｂとの間には中間落下口３２ａを構成し、被選別物中の下層の重いものを下方の籾殻粃選別風路１０ｂに落下するように構成している。
【００２０】
下風路体は選別始端部から中途部まで延びる始端側下風路体１１ｃと、中途部から選別終端部まで延びる終端側下風路体１１ｄとから構成し、始端側下風路体１１ｃと終端側下風路体１１ｄとの間には中間落下口３２ｂ構成し、被選別物中の下層の重いものを下方の粃選別風路１０ｃに落下するように構成している。
【００２１】
また、籾殻選別風路１０ａの始端側と籾殻粃選別風路１０ｂの始端側にはそれぞれ始端側上風路体１１ａや始端側下風路体１１ｃと交差する方向にそれぞれ上摺落米流下体１１ｅと下摺落米流下体１１ｆを並行して傾斜して設けている。
【００２２】
また、粃選別風路１０ｃの下方には粃通過通路３４を並行状に設け、籾殻粃選別風路１０ｂにおける中間落下口３２ｂの下方部位に粃落下口３３を設け、粃選別風路１０ｃの粃は粃落下口３３を経て粃通過通路３４の上側端部に粃が流下するように構成し、粃通過通路３４の下端部を粃取出箱体３５に臨ませている。
【００２３】
粃通過通路３４を上側の選別風路１０ａ，１０ｂ，１０ｃと同様に摺落米風選箱体９の前後全幅にわたり幅広に構成し、落下した粃を下方に流下案内し、粃取出箱体３５に供給するようにし、構成の簡単化とコストの低減を図っている。
【００２４】
粃選別風路１０ｃの粃流下口３３には開閉切換板３１を設け、粃流下口３３を開閉切換するようにしている。そして、開閉切換板３１を粃流下口３３に設けるにあたり、開閉切換板３１の上下方向中途部に支点軸３１ａを取り付け、正面視で粃流下口３３の上側中間部に支点軸３１ａを左右方向に沿わせた横軸回りに回動可能に軸支している。  そして、開閉切換板３１の上側部を粃選別風路１０ｃに出入りする粃選別風路開閉部３１ｂとし、その下側部を粃落下口３３を開閉する粃落下口開閉部３１ｃとしている。３１ｄは開閉切換板３１の開閉位置を保持するスプリングである。また、開閉切換板３１の操作レバーの図示は省略している。
【００２５】
以下、選別風路の作用について説明する。
籾摺ロール７で籾摺られた摺落米は拡散板２８で拡散され、上摺落米流下体１１ｅを流下しながら、籾殻選別風路１０ａの風選始端側に供給される。そして、主として籾殻が風選別され、籾殻より重い籾・玄米・粃は籾殻選別風路１０ａの風選始端側又は中間落下口３２ａから落下する。籾殻選別風路１０ａの風選始端側から下摺落米流下体１１ｆを経た摺落米は籾殻粃選別風路１０ｂの風選始端側に供給される。そして、主として籾殻と粃が風選別され、籾・玄米の混合米は混合米流下板１２を流下して混合米ラセン１４に流入するが、このとき、粃が粃選別風路１０ｃで風選別される。なお、混合米ラセン１４の混合米は前述の記載の通り混合米選別部３に供給される。
【００２６】
籾殻粃選別風路１０ｂの中間落下口３２ｂから籾殻と粃の混じった一部混合物が下段の粃選別風路１０ｃに落下する。
開閉切換板３１を図３に示すように時計方向に回動切換え、粃選別取出状態とする。すると、開閉切換板３１の粃選別風路開閉部３１ｂが粃選別風路１０ｃの中途部を閉鎖し、粃選別風路１０ｃの選別風が中間落下口３２ｂを経て上側の籾殻粃選別風路１０ｂに送られ、籾殻粃選別風路１０ｂの選別風量をアップし、粃への籾殻混入を防止しながら粃の選別精度を高めることができる。そして、開閉切換板３１の下側部が粃落下口３３を開口し、粃落下口３３に精選された粃が落下し、粃通過通路３４を流下し粃取出箱体３５に回収される。
【００２７】
また、この粃落下口３３の開口状態から、開閉切換板３１を反時計方向に回動切換し、粃排出状態とする。すると、開閉切換板３１の粃選別風路開閉部３１ｂが粃選別風路１０ｃの中途部から退避して粃選別風路１０ｃが開口すると共に、開閉切換板３１の粃落下口開閉部３１ｃが粃落下口３３を閉鎖し、粃落下口３３から粃通過通路３４に粃が流下しないようになる。しかして、粃選別風路１０ｃに落下した粃及び籾殻は選別風により終端に送られ吸引ファン１３を経て機外へ排出される。
【００２８】
この実施の形態の構成によると、摺落米の選別精度を良好に保ちながら、粃を分離選別したり、籾殻と共に粃を機外へ排出することができる。すなわち、開閉切換板３１の上側部を粃選別風路１０ｃの開閉切換部とし、その下側部を粃落下口３３の開閉切換部としたので、粃落下口３３の開閉、粃選別風路１０ｃと籾殻粃選別風路１０ｂの連通切換操作を同時に行なえる。従って、開閉切換板３１を粃分離選別に切り換えると、開閉切換板３１の粃選別風路開閉部３１ｂにより粃選別風路１０ｃの終端側が閉鎖され、粃選別風路１０ｃの選別風が中間落下口３２ｂを経て上側の籾殻粃選別風路１０ｂに送られ、粃落下口開閉部３１ｃは粃落下口３３を開放するので、籾殻粃選別風路１０ｂの選別風量をアップし、粃選別の選別精度を高めながら、きれいな粃を分離取出することができる。
【００２９】
また、粃選別風路１０ｂの下側始端側を混合米流下板１２に連通しているので、開閉切換板３１を粃排出状態としているときには、粃選別風路１０ｃに籾・玄米が落下しても、この玄米を下方の混合米流下板１２に戻して回収し、機外への籾・玄米の排出を抑制することができる。
【００３０】
また、図３に示すように、開閉切換板３１の上側端部を補強を兼ねた立上り部３１ｄに折曲構成し、この立上り部３１ｅで下層を流動している粃の終端側への流れを阻止し、粃の回収効率を高めることができる。
【００３１】
また、籾殻選別風路１０ａの始端側と籾殻粃選別風路１０ｂの始端側にはそれぞれ始端側上風路体１１ａや始端側下風路体１１ｃと交差する方向にそれぞれ上摺落米流下体１１ｅと下摺落米流下体１１ｆを並行して傾斜して設けていることから、複数段階にわたって籾殻及び粃を風選別できるため、選別性能が向上する。
【００３２】
また、始端側上風路体１１ａと終端側上風路体１１ｂとの間の中間落下口３２ａを、始端側下風路体１１ｃと終端側下風路体１１ｄとの間の中間落下口３２ｂより選別始端側位置に設けることで、籾殻選別風路１０ａで籾殻と共に一部吸引された籾・玄米を籾殻粃選別風路１０ｂで選別して混合米ラセン１４に供給できるため、籾・玄米を粃通過通路３４に流入することを少なくすることができる。
【００３３】
次に、図４に基づき吸引ファン１３について説明する。
吸引ファン１３は、複数枚の羽根板１３ａ，…と、羽根板１３ａ，…を回転自在に支架する支架部１３ｂと、羽根板１３ａ，…を覆うように支架部１３ｂに取り付けているファン胴１３ｃと、支架部１３ｂとファン胴１３ｃの前側開口部を覆うように取り付けている排出筒１３ｄと、により構成されている。
【００３４】
また、ファン胴１３ｃを構成するにあたり、側面視で左右同じ形状の略四半円形状の左右側板１３ｅ，…と、左右側板１３ｅ，…の外周部に接合支持する外周板１３ｆ，１３ｆとで構成している。そして、支架部１３ｂの左右両側面に左右側板１３ｅ，…をボルト・ナットで固着し、左右側板１３ｅ，…の外周端部に外周板１３ｆ，１３ｆを接合支持し、左右側板１３ｅ，１３ｅの左右両側面の折曲部１３ｆ１，１３ｆ１を接合支持する。そして、この外周板１３ｆ，１３ｆの外周側に補強板４１を圧接した状態で、補強板４１を支架部１３ｂにボルト・ナットで固着する。
【００３５】
前記構成によると、左右側板１３ｅ，１３ｅ及び外周板１３ｆ，１３ｆを小形の同一形状に分割して構成することができ、これら部材の成型用型材を小型化し、型費を押さえコストの低減を図ることができる。また、左右側板１３ｅ，…の外周部に外周板１３ｆ，１３ｆを嵌合し、外周板１３ｆ，１３ｆを圧接した状態で支架部１３ｂに補強板４１を取り付けるので、外周板１３ｆ，１３ｆの取付構成を簡単化することができる。
【符号の説明】
【００３６】
１      籾摺部
２      摺落米風選部
９      摺落米風選箱体
１０      摺落米選別風路
１０ａ    籾殻選別風路
１０ｂ    籾殻粃選別風路
１０ｃ    粃選別風路
１２      混合米流下板
３１      開閉切換板
３１ａ    支点軸
３２ｂ    中間落下口
３３      粃落下口
３４      粃通過通路
【図１】
2011045854.tif 000003
【図２】
2011045854.tif 000004
【図３】
2011045854.tif 000005
【図４】
2011045854.tif 000006